(57)【要約】【課題】  回折格子ホルダを精度よく微動させる。【解決手段】  基板３１ａと折り返し板３１ｂの天辺の側には、基板３１ａの側には谷形に切り欠いた第一の凹部３１ｃが形成されており、折り返し板３１ｂの側にも谷形に切り欠いた第二の凹部３１ｄが形成され、折り返し板３１ｂの側の第二の凹部３１ｄと、基板の側の第一の凹部３１ｃとでは、谷底までの深さはほぼ同一で谷底の位置が互いに幅方向にずれるように重ね合わせて形成され、第二の凹部３１ｄの右側の斜辺３１ｄ１Ｒと、第一の凹部３１ｃの左側の斜辺３１ｃ１Ｌとが交差し、それぞれ直線状の斜辺の縁部同士が交差しているので、その交差部分に金型などで生じる微少なＲが生じる余地はなく、精度は向上し、リニアな調整も可能となる。【選択図】  図２
2015187900.tif 000002
【特許請求の範囲】
【請求項１】
光ピックアップにおける回折格子を保持する回折格子ホルダであって、
板金で概略枠形状に形成されるホルダ本体部と、
ホルダ本体部の一部を折り返して一辺上に板金同士が重なり合うように形成される重複辺と、
重複辺で重なり合うそれぞれの板金に、互いに重複するように切り込み部位を形成しつつ、それぞれの切り込み部位の略直線状の縁部同士が交差する交差部位を形成したことを特徴とする回折格子ホルダ。
【請求項２】
互いに重複する前記切り込み部位はそれぞれ概略谷形形状として形成され、谷底がずれるように重ね合わされていることを特徴とする請求項１に記載の回折格子ホルダ。
【請求項３】
互いに重複する前記切り込み部位は少なくとも互いに交差し合う角度とした縁部を有し、同縁部同士が交差して前記交差部位を形成していることを特徴とする請求項１または請求項２に記載の回折格子ホルダ。
【請求項４】
前記切り込み部位を前記本体部における天辺に形成したときに、前記重複辺は同本体部における側辺を折り返して天辺同士が重複するように形成されていることを特徴とする請求項１〜請求項３のいずれかに記載の回折格子ホルダ。
【請求項５】
前記切り込み部位を前記本体部における天辺に形成したときに、前記重複辺は同本体部における底辺を天辺側に折り返して天辺で重複するように形成されていることを特徴とする請求項１〜請求項３のいずれかに記載の回折格子ホルダ。
【発明の詳細な説明】
【技術分野】
【０００１】
本発明は、光ピックアップにおける回折格子を保持する回折格子ホルダに関する。
【背景技術】
【０００２】
回折格子（グレーティング）を保持する光ピックアップ装置およびそれに用いる回折格子取付に関して特許文献１〜３に示すものが知られている。
特許文献１は、光ピックアップ装置およびそれに用いる回折格子取付方法に関する。同文献の図３，４、および段落００２８〜段落００３１には、「調整工具１１０を回折格子ホルダ１０９の溝１０９ａに挿入して調整工具１１０を矢印Ａ方向に動かして、回折格子１０２を調整する」開示がある。
【０００３】
特許文献２は、光ピックアップ装置に関する。同文献の図３，５、および段落００６３〜段落００６４には、「第２ホルダ１７の突出部２０が不図示の位置調整治具でＸ方向に押圧することによって回折格子ホルダ１４を移動させて、回折格子を調整する」開示がある。
特許文献３は、光ピックアップ装置に関する。同文献の図５，６および段落００４６〜段落００４８には、「ホルダ３２，４２に調整片３３，４３を動かして第１，２の回折格子３０，４０を調整する」開示がある。
【先行技術文献】
【特許文献】
【０００４】
【特許文献１】特開２０１１−８６３２０号公報
【特許文献２】特開２０１１−７０７７１号公報
【特許文献３】特開２００５−２８５１６６号公報
【発明の概要】
【発明が解決しようとする課題】
【０００５】
回折格子の角度を調整する場合、回折格子ホルダの位置を、調整器具で微動させて調整する。上述した従来の技術においては、回折格子ホルダの位置の調整は精度を要するが、調整器具を回折格子ホルダに当接させる部分での精度に限界があった。
本発明は、回折格子ホルダを精度よく微動させることが可能な回折格子ホルダを提供する。
【課題を解決するための手段】
【０００６】
本発明は、光ピックアップにおける回折格子を保持する回折格子ホルダであって、板金で概略枠形状に形成されるホルダ本体部と、ホルダ本体部の一部を折り返して一辺上に板金同士が重なり合うように形成される重複辺と、重複辺で重なり合うそれぞれの板金に、互いに重複するように切り込み部位を形成しつつ、それぞれの切り込み部位の略直線状の縁部同士が交差する交差部位を形成した構成としてある。
【０００７】
前記のように構成した本発明では、ホルダ本体部は板金で概略枠形状に形成されており、このホルダ本体部の一部を折り返し、一辺上に板金同士が重なり合うように重複辺を形成している。この重複辺で重なり合うそれぞれの板金には、互いに重複するように切り込み部位を形成してあり、切り込み部位が概ね重なり合っている。しかし、それぞれの切り込み部位には略直線状の縁部が形成されており、略直線状の縁部同士は交差し、交差部位を形成している。
【０００８】
縁部同士が交差することで、鋏の刃のように鋭角な部位が形成される。もし、これを一枚の板金の一辺に対して谷形の切り込みだけで形成しようとすると、その谷底には僅かなＲが形成されてしまう。そして、この谷底に鋭利な調整器具を当接させて微動させて調整することになるが、調整器具の側が鋭利でも、谷底にＲが生じていると、谷底で僅かに滑ってしまいかねない。
【０００９】
これに対して、略直線状の縁部同士が交差した交差部位では、谷底にあたる部分で鋏の刃のように交差してＲが生じる余地がない。従って、鋭利な調整器具を当接させても滑らない。
なお、概ね直線状である縁部は正確に直線である必要はなく、緩やかに円弧を描いているなど、直線から外れる形状であっても構わない。
本発明の他の態様では、互いに重複する前記切り込み部位はそれぞれ概略谷形形状として形成され、谷底がずれるように重ね合わされている構成としてある。
【００１０】
前記のように構成した本発明では、概略谷形形状を形成するためには二つの斜辺が最深部で交わり合うことが必要である。二つの概略谷形形状を重ね合わせ、かつ、谷底がずれていると、一方の谷形を形成する縁部と、他方の谷形を形成する縁部とが交差する。互いに縁部は概ね直線状になっているから、その交差部位は限りなくＲが生じない。
本発明の他の態様では、互いに重複する前記切り込み部位は少なくとも互いに交差し合う角度とした縁部を有し、同縁部同士が交差して前記交差部位を形成している構成としてある。
【００１１】
前記のように構成した本発明では、互いに重複する前記切り込み部位は少なくとも互いに交差し合う角度とした縁部を有していればよい。最も単純なのとして、谷底同士を重ね合わせる場合が考えられるものの、一方が角形の凹部とされ、他方が半円状の切り欠きであっても、互いに交差する縁部があれば、その交差部分では限りなくＲが生じない。
【００１２】
本発明の他の態様では、前記切り込み部位を前記本体部における天辺に形成したときに、前記重複辺は同本体部における側辺を折り返して天辺同士が重複するように形成されている構成としてある。
重複辺は板金を折り返して形成するのが部品点数を減らす上で有利である。
前記のように構成した本発明では、本体部における側辺を折り返して天辺同士が重複するように形成する。
【００１３】
また、本発明の他の態様では、前記切り込み部位を前記本体部における天辺に形成したときに、前記重複辺は同本体部における底辺を天辺側に折り返して天辺で重複するように形成されている構成としてある。
前記のように構成した本発明では、本体部における底辺を天辺側に折り返して天辺で重複するように形成する。
【発明の効果】
【００１４】
本発明によれば、直線状の縁部を交差させることで、交差部分でＲが生じる余地を無くし、鋭利な調整器具を当接させたときに滑らないようにし、回折格子ホルダを精度よく微動させる回折格子ホルダを提供するできる。
【図面の簡単な説明】
【００１５】
【図１】光ピックアップの概略構成を示す斜視図である。
【図２】本発明の回折格子ホルダの正面図である。
【図３】本発明の回折格子ホルダの部分拡大正面図である。
【図４】第二実施例にかかる回折格子ホルダの正面図である。
【図５】第二実施例にかかる回折格子ホルダの部分拡大正面図である。
【図６】縦折りを示す回折格子ホルダの斜視図である。
【図７】横折りを示す回折格子ホルダの斜視図である。
【図８】調整器具の幅と回折格子ホルダの折り返しの幅の関係を示す側面図である。
【図９】改良前の回折格子ホルダの正面図である。
【図１０】改良前の回折格子ホルダの部分拡大正面図である。
【発明を実施するための形態】
【００１６】
（第一実施例）
以下、図面にもとづいて本発明の実施形態を説明する。
まず、本発明の回折格子ホルダが使用される光ピックアップについて説明する。
図１は、光ピックアップの概略構成を斜視図により示している。
発光素子１１は、ＤＶＤとＣＤに対応するレーザーダイオードを備えており、回折格子１２に対面している。説明の便宜上、以下、このレーザーダイオードはＤＶＤ用と称することにする。発光素子１１から出射されるレーザー光は、回折格子１２を通過してハーフミラー１３に入射されその進路を水平面内で９０度屈曲されて偏光ビームスプリッタ１４に入光する。偏光ビームスプリッタ１４を直進して通過した光路上にはコリメータレンズ１５が介在され、さらにその先にはＤＶＤ側の打ち上げミラー１６が配置されているので、レーザー光は９０度鉛直方向に屈曲され、波長板１７と対物レンズ１８を通過してＤＶＤの光ディスクの所定位置に照射される。なお、ＤＶＤ光ディスクからの反射光は、対物レンズ１８と波長板１７、打ち上げミラー１６、コリメータレンズ１５、偏光ビームスプリッタ１４へと逆の経路を進行し、ハーフミラー１３に入射する。ハーフミラー１３では一部は発光素子１１の側に屈曲されるものの、残りはハーフミラー１３を通過して直進し、ホログラム１９を経て受光素子２０に入光される。
【００１７】
また、ブルーレイディスク（ＢＤ）に対応して、発光素子２１も備えられており、発光素子２１から出射されるレーザー光は偏光ビームスプリッタ１４に入光するとその進路を水平面内で９０度屈曲され、ＤＶＤのレーザー光と同一の進路を進む。偏光ビームスプリッタ１４から出射したレーザー光の光路上にはコリメータレンズ１５が介在され、さらにその先にのＤＶＤ側の打ち上げミラー１６に入射する。しかし、ブルーレイディスクのレーザー光はＤＶＤ側の打ち上げミラー１６を通過してその先にあるブルーレイディスク用の打ち上げミラー２２にて９０度鉛直方向に屈曲され、波長板２３と対物レンズ２４を通過してブルーレイディスクの光ディスクの所定位置に照射される。なお、ブルーレイディスクの光ディスクからの反射光は、対物レンズ２４と波長板２３、打ち上げミラー２２、コリメータレンズ１５、偏光ビームスプリッタ１４へと逆の経路を進行し、ハーフミラー１３に入射する。ハーフミラー１３では一部は発光素子１１の側に屈曲されるものの、残りはハーフミラー１３を通過して直進し、ホログラム１９を経て受光素子２０に入光される。なお、ハーフミラー１３から打ち上げミラー１６，２２へと向かう光路の延長上には光軸調整のためのフロントモニタ２５が配置されている。
【００１８】
図２は、本発明の回折格子ホルダを正面図により示しており、図３は、本発明の回折格子ホルダを部分拡大正面図により示している。
回折格子１２は、図示しない回折格子素子を回折格子ホルダ３１で支持して構成されている。ＤＶＤのレーザー光の進路上に回折格子素子を配置して貫通させるが、レーザー光と回折格子の相対的な角度関係を調整する必要がある。一例としては、レーザー光の進路を回転軸心として、回折格子素子をその軸芯を中心として相対的に回転角度位置を調整すればよい。しかし、必ずしも回折格子素子の回転中心がレーザー光の光軸中心である必要はない。言い換えると、レーザー光の光軸が回折格子素子の有効径からはみ出さない範囲でレーザー光と回折格子素子との相対角度を調整する必要がある。このような調整のため、回折格子ホルダ３１は概略矩形の板材（板金）で概略枠形状に形成され（ホルダ本体部に相当する）、その下辺（底辺）からは先端を山形に形成した支持突起３２を備えると共に、上辺（天辺）には概略谷形形状に形成した当接用凹部（切り込み部位）３３を形成してある。この当接用凹部３３に対して上方から先端の尖った調整ビット４１を当接させる。
【００１９】
ここで、改良前の回折格子ホルダについて説明する。
図９は、改良前の回折格子ホルダを正面図により示しており、図１０は、改良前の回折格子ホルダを部分拡大正面図により示している。
改良前の回折格子ホルダ９１にも、下辺（底辺）には支持突起９２が形成されると共に、上辺（天辺）には谷形に形成した当接用凹部９３を形成してある。
【００２０】
この回折格子ホルダ９１は一枚の平板材を下辺側で折り返して形成（ヘミング曲げ）してあり、折り返した両端側は概ね重なり合って天辺を形成している。この意味で、天辺は、ホルダ本体部の一部を折り返して一辺上に板金同士が重なり合うように形成される重複辺となる。
ここで、下辺の下側から天辺の側に折り返した側の板材を折り返し板９１ｂと呼び、もう一方の側の板材を基板９１ａと呼ぶことにする。回折格子ホルダ９１の天辺では、基板９１ａの側には谷形に切り欠いた第一の凹部９１ｃが形成されており、折り返し板９１ｂの側にも谷形に切り欠いた第二の凹部９１ｄが形成されている。このように、基板９１ａと折り返し板９１ｂは、互いに重複するように切り込み部位（第一の凹部９１ｃと第二の凹部９１ｄ）を形成してあるといえる。
【００２１】
ここで、第一の凹部９１ｃと第二の凹部９１ｄは、それぞれ二つの斜辺９１ｃ１，９１ｃ１と、斜辺９１ｄ１，９１ｄ１とによって形成されているが、折り返し板９１ｂの側の第二の凹部９１ｄの方が全体的に基板の側の第一の凹部９１ｃよりも奥まった位置となっていて、斜辺９１ｃ１，９１ｃ１と斜辺９１ｄ１，９１ｄ１は交差していない。言い換えると、基板９１ａの側の第一の凹部９１ｃの方が、折り返し板９１ｂの側の第二の凹部９１ｄよりも浅い凹部となっている。
【００２２】
この場合、図１０に示すように、調整ビット４１を第一の凹部９１ｃと第二の凹部９１ｄの谷底に向けて押しつけたとき、調整ビット４１の先端は浅い側の第一の凹部９１ｃの谷底に押し当てられる。
Ｖ字形の谷底は金型を使って形成しているが、その精度上、微少なＲが生じることは避けられない。調整ビット４１は先端を谷底に押しつけて回折格子ホルダ９１を幅方向に移動させることで、下辺の支持突起９２を支点として回動動作させて角度を調整する。精度よく調整するために調整ビット４１の先端を鋭利にするが、先端が鋭利となっても押しつけられてい谷底にＲが生じているので、滑ってしまい、精度の限界がある。
【００２３】
言い換えると、このように、回折格子調整を行う際、回折格子（回折格子素子）を保持している部品（回折格子ホルダ：回折格子スプリング）をある支点から離れた位置に調整ビットを接触させ、回折格子スプリングの回転調整を行っているが、回折格子スプリングの調整ビットが接触する部分の形状がＶ字であり、Ｖの底部が金型上微小Ｒがつくため、調整ビットがズレてしまい、リニアに調整できない。
【００２４】
次に、図２と図３の本発明の形状を参照する。
同図に示すように、基板３１ａと折り返し板３１ｂ（底辺から天辺側に向けてヘミング曲げして形成）の天辺側には、改良前と同様、基板３１ａの側には概略谷形形状に切り欠いた第一の凹部３１ｃが形成されており、折り返し板３１ｂの側にも概略谷形形状に切り欠いた第二の凹部３１ｄが形成されている。しかし、改良前のものと異なり、折り返し板３１ｂの側の第二の凹部３１ｄと、基板の側の第一の凹部３１ｃとでは、谷底までの深さはほぼ同一で谷底の位置が互いに幅方向にずれるように重ね合わせて形成されている。すなわち、第一の凹部３１ｃについては谷底を間に左側を斜辺３１ｃ１Ｌと呼び、右側を斜辺３１ｃ１Ｒと呼ぶこととし、第二の凹部３１ｄについても谷底を間に左側を斜辺３１ｄ１Ｌと呼び、右側を斜辺３１ｄ１Ｒと呼ぶとすると、図３に拡大して示すように、第二の凹部３１ｄの右側の斜辺３１ｄ１Ｒと、第一の凹部３１ｃの左側の斜辺３１ｃ１Ｌとが交差している。それぞれ直線状の斜辺の縁部同士が交差しているので、その交差部分に金型などで生じる微少なＲが生じる余地はない。
【００２５】
このため、先端を鋭利にした調整ビット４１を斜辺３１ｄ１Ｒと斜辺３１ｃ１Ｌとの交差部位に当接せしめたとき、幅方向にずれる余地がない。従って、精度は向上し、リニアな調整も可能となる。
なお、本実施例では、天辺が重複辺に相当し、第一の凹部３１ｃと第二の凹部３１ｄとが切り込み部位に相当し、略直線状の縁部である斜辺３１ｄ１Ｒと斜辺３１ｃ１Ｌ同士が交差して交差部位を形成している。
【００２６】
（第二実施例）
図４は、第二実施例にかかる回折格子ホルダを正面図により示しており、図５は、第二実施例にかかる回折格子ホルダを部分拡大正面図により示している。
第二実施例の回折格子ホルダ５１は、天辺の第一の凹部５１ｃと第二の凹部５１ｄの重なり合いが第一実施例のものと相違している。
より具体的には、第一の凹部５１ｃは概ね左右対称の斜辺５１ｃ１Ｌ，５１ｃ１Ｒを備える概略谷形形状であるが、第二の凹部５１ｄは左側の斜辺５１ｄ１Ｌはほぼ同様の傾斜辺であるものの、もう右側の斜辺５１ｄ１Ｒをほぼ垂直に形成している。折り返し板５１ｂの側のほぼ垂直の斜辺５１ｄ１Ｒは、その途中で基板５１ａの左側の斜辺５１ｃ１Ｌと交差して交差部位を形成している。交差部位では、少なくとも両者は互いに交差し合う角度であればよい。
【００２７】
第一実施例においても、第二実施例においても、交差部位を形成する縁部は共に直線状であるが、正確に直線状である必要はない。互いに湾曲している縁部を交差させても、交差部位にＲが生じる余地はないからである。円弧状の切り込み部位同士をずらして重ね合わせた場合でも、交差部位を形成させることが可能である。一方が、角形の凹部で、他方が谷形の凹部といった組合せも可能である。
本実施例においても、ほぼ直線状とした斜辺５１ｄ１Ｒと斜辺５１ｃ１Ｌとが交差して交差部位を形成しており、その交差部位にＲが生じる余地がない。一方が垂直に近いので、調整ビット４２の先端も一辺が垂直状となっている必要はある。
すなわち、調整ビットの先端角度と回折格子ホルダの切り込み部位の開口角度の関係は、
（調整ビットの先端角度Ｃ）＜（回折格子ホルダの開口角度Ｄ）
となっているべきである。
【００２８】
（第三実施例）
図６は、第一実施例での縦折りの回折格子ホルダを斜視図により示しており、図７は、本実施例での横折りの回折格子ホルダを斜視図により示している。
天辺で重複辺を形成するため、第一実施例では、折り返し板３１ｂを基板３１ａの下辺の側から上方に向けて折り返して形成した。
【００２９】
しかし、必ずしも下辺の側から折り返す必要はなく、本実施例に示すように、基板６１ａと折り返し板６１ｂを側辺で折り返した二つ折りとし、天辺同士からなる重複辺に形成した二つの第一の凹部６１ｃと第二の凹部６１ｄの縁部で交差部位を形成することが可能である。すなわち、ヘミング曲げの折り返し箇所は、概略枠形形状とした周囲の辺のいずれの箇所からの折り返しでも可能である。
なお、本発明は、一枚の板金を折り返して部品点数を減らしている。しかし、発明の回避のために二枚の板金を重ね合わせて固定するものも、当然に本発明の範囲内に含まれるものである。
【００３０】
図８は、調整器具の幅と回折格子ホルダの折り返しの幅の関係を側面図により示している。同図（ａ）はヘミング曲げして両端がぴったりと重なり合う場合を図示しており、同図（ｂ）は折り返してはいるが両端がぴったりと重なり合わずに間に隙間が生じる場合を図示している。
調整ビット４１の厚みと回折格子ホルダ７１の厚みの関係は、
（調整ビット４１の厚みＡ，Ａ’）＞（回折格子ホルダ７１の厚みＢ，Ｂ’）
となっていることが必要である。
図８（ａ）では、Ａ＞Ｂとなっており、同図（ｂ）では、Ａ’＞Ｂ’となっている。
このような厚みであると、調整ビット４１の先端は確実に基板の側と折り返し板の側の縁部に当接するからである。厳密には、基板と折り返し板との間の隙間以上であれば、調整ビット４１の先端は基板と折り返し板に当接するものの、調整時に移動させたときに片方から外れてしまう可能性もあるため、上述した厚みの関係を保持することが好ましい。
【００３１】
以上説明したように、回折格子を保持している回折格子スプリング（回折格子ホルダ）を折り返す（ヘミング曲げ）際、調整ビットの受けである谷形のＶ字形状を、片側は折り返していない部分の断面、片側は折り返している方の断面にすることで（谷形のＶ字形状を左右にズラす）、Ｖ字の底が鋭角になり（Ｒが付かない）、調整ビットの動きに対して、回折格子スプリングがリニアに動くようになった。
【００３２】
この結果、半導体レーザから発光された光が光ディスクへ入射し、その反射された光を受光し電気信号を生成する光検出器（ＰＤ）を有する光ピックアップにおいて、光学部品を保持しているホルダを容易に可動できる機構を提供することができる。
【００３３】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００３４】
１１…発光素子、１２…回折格子、１３…ハーフミラー、１４…偏光ビームスプリッタ、１５…コリメータレンズ、１６…打ち上げミラー、１７…波長板、１８…対物レンズ、１９…ホログラム、２０…受光素子、２１…発光素子、２２…打ち上げミラー、２３…波長板、２４…対物レンズ、２５…フロントモニタ、３１…回折格子ホルダ、３１ａ…基板、３１ｂ…折り返し板、３１ｃ…第一の凹部、３１ｃ１Ｌ，３１ｃ１Ｒ…斜辺、３１ｄ…第二の凹部、３１ｄ１Ｌ，３１ｄ１Ｒ…斜辺、３２…支持突起、３３…当接用凹部、４１，４２…調整ビット、５１…回折格子ホルダ、５１ａ…基板、５１ｂ…折り返し板、５１ｃ…第一の凹部、５１ｃ１Ｌ，５１ｃ１Ｒ…斜辺、５１ｄ…第二の凹部、５１ｄ１Ｌ，５１ｄ１Ｒ…斜辺、６１ａ…基板、６１ｂ…折り返し板、６１ｃ…第一の凹部、６１ｄ…第二の凹部、７１…回折格子ホルダ、９１…回折格子ホルダ、９１ａ…基板、９１ｂ…折り返し板、９１ｃ…第一の凹部、９１ｃ１…斜辺、９１ｄ…第二の凹部、９１ｄ１…斜辺、９２…支持突起、９３…当接用凹部。
【図１】
2015187900.tif 000003
【図２】
2015187900.tif 000004
【図３】
2015187900.tif 000005
【図４】
2015187900.tif 000006
【図５】
2015187900.tif 000007
【図６】
2015187900.tif 000008
【図７】
2015187900.tif 000009
【図８】
2015187900.tif 000010
【図９】
2015187900.tif 000011
【図１０】
2015187900.tif 000012